(57)【特許請求の範囲】
【請求項１】
撮影した画像をディジタルデータに変換する撮像手段と、
撮影駒数を記憶するメモリと、
上記撮像手段で変換された上記ディジタルデータ、プリント依頼者を識別するコード、及びプリント依頼先を指定するコードを送信して上記画像のプリントを依頼する送信手段と、
上記送信手段を介して上記画像のプリントを依頼したときに上記メモリに記憶された上記撮影駒数をリセットするリセット手段と、
を備えたことを特徴とするカメラ。
【発明の詳細な説明】
【０００１】
【発明の属する技術分野】
本発明は、画像データと識別データとを送信して画像データのプリントを依頼することが可能なカメラに関するものである。
【０００２】
【従来の技術】
従来、送信機能付き電子カメラ、及び受信機能付き記録装置に関して、例えば、特開平５−１６７９６５号公報には、以下のような旨の開示がある。
送信機能を有する電子カメラにて撮影を行った後、撮影によって得られた画像データを離れた場所にある記録装置に送信することにより、多量の画像データを電子カメラ内に記憶する必要がなくなり、この電子カメラに大きな容量の記憶媒体を搭載しなくてもよいという技術が記載されている。
【０００３】
【発明が解決しようとする課題】
しかしながら、上記特開平５−１６７９６５号公報に記載された技術では、撮影した画像データを記録装置に送信した後、プリントする手法を開示していなかった。したがって、画像データをプリントするためには自分で高価なプリンタを購入してプリントしたり、１度フロッピーディスクなどのメディアにデータを記録して、ＤＰＥ店などで行っているディジタルラボサービスにこのメディアを持って行きプリントする必要があった。
【０００４】
そこで本発明は、上記課題に鑑みてなされたものであり、送信機能付きカメラにて撮像された画像データ及び識別情報を遠隔地にあるプリント装置に送信することにより、撮影者が適時に希望するプリントを依頼できるカメラを提供することを目的とする。
【０００５】
【課題を解決するための手段】
上記目的を達成するために、本発明のカメラは、撮影した画像をディジタルデータに変換する撮像手段と、撮影駒数を記憶するメモリと、上記撮像手段で変換された上記ディジタルデータ、プリント依頼者を識別するコード、及びプリント依頼先を指定するコードを送信して上記画像のプリントを依頼する送信手段と、上記送信手段を介して上記画像のプリントを依頼したときに上記メモリに記憶された上記撮影駒数をリセットするリセット手段とを備えたことを特徴とする。
【０００８】
すなわち、本発明のカメラでは、撮影した画像を撮像手段でディジタルデータに変換し、送信手段により上記ディジタルデータ、プリント依頼者を識別するコード、及びプリント依頼先を指定するコードを送信して上記画像のプリントを依頼することができるとともに、画像を送信した後に撮影駒数をリセットするので、送信されていない画像の駒数を正しく認識することが可能となる。
【００１０】
【発明の実施の形態】
以下、図面を参照して本発明の実施の形態を説明する。
まず、本発明の理解を容易にするために、本発明に係るカメラ・プリントシステムの概念について説明する。
【００１１】
図１は、本発明に係るカメラ・プリントシステムの概念的な構成を示すブロック図である。
このカメラ・プリントシステムは、送信機能を有する撮像装置であるカメラ１と、このカメラ１から送信された情報を受信する受信機能を有するプリント装置２から構成される。
【００１２】
さらに上記カメラ１は、被写体を撮影してその画像をディジタルの画像データに変換する撮像部１０と、この画像データを圧縮するデータ圧縮部１２と、ユーザＩＤ情報を入力するＩＤ入力部１４と、上記ユーザＩＤ情報と圧縮された画像データとを送信用信号に変換する送信信号形成部１６と、上記送信用信号を送信する送信部１８とからなる。
【００１３】
上記プリント装置２は、上記カメラ１から送信された送信用信号を受信する受信部２０と、上記ユーザＩＤ情報を判別するＩＤ判別部２２と、ユーザＩＤ情報ごとに画像データを記憶する記憶部２４と、プリントを開始するかどうかを判断するプリント開始判定部２６と、このプリント開始判定部２６の指示により上記画像データをプリントするプリント部２８とからなる。
【００１４】
このように構成されたカメラ・プリントシステムにおいては、撮像された画像は直接プリント装置２に送られ、プリント開始判定により自動的にプリントされる。このため、撮影者は、例えば旅行で撮影した写真を帰宅途中にプリント装置２のある自宅の近くのＤＰＥ店などに立ち寄って受け取ることができる。
【００１５】
次に、本発明に係る実施の形態のカメラ・プリントシステムについて説明する。
図２は、実施の形態のカメラ・プリントシステムの構成を示す具体的なイメージ図である。
【００１６】
撮像装置であるカメラ１は、電子カメラにモデムと電話器が内蔵されたものである。カメラ１により撮影された画像データは、ＰＨＳ方式などの電話方式で近くの受信ポイント３０に送られ、そこからパソコン通信などのアクセスポイント３２に接続されてデータが送られる。アクセスポイント３２では、受信したユーザＩＤコード、送信先ＩＤコード（ＤＰＥ店などのＩＤコード）がチェックされ、データベース３４に上記データが送信先ＩＤコード別にファイルされる。
【００１７】
データベース３４とプリント装置を所有するＤＰＥ店３６は通常ＬＡＮで接続されており、このＤＰＥ店３６は上記ユーザＩＤコードごとにデータを吸い上げ、プリント開始判定があると、プリント３８の作成を開始する。
【００１８】
なお、上記データの送信方式はＰＨＳ方式に限らず、他の方式を用いてもかまわない。上記データベース３４はパソコン通信時のものでなくとも、プリントシステムの専用データベースを使ってもかまわない。上記ＤＰＥ店は、コンビニエンスストア、スーパーマーケットなどの中にあってもかまわない。また、上記ＬＡＮは、電話回線、ケーブルテレビ回線などであってもよい。
【００１９】
図３は、上記カメラ１の構成を示す図である。
ＲＩＳＣ型マイクロコンピュータなどからなりカメラ１全体の動作を制御する制御部４０には、レンズ４２により結像された被写体像をディジタルの画像データに変換する撮像部１０と、上記画像データを一次記憶し、かつ上記画像データをデータ圧縮するときのバッファメモリ及び圧縮データの記憶場所である画像メモリ４４と、上記画像データから作成された画像の表示及び後述するカメラ１の状態や、警告などを表示する表示部４６と、後述するユーザＩＤなどを入力するＩＤ入力部１４と、ＥＥＰＲＯＭやフラッシュメモリなどからなり撮影駒数などを記憶する不揮発性メモリ４８と、モデム機能及び電話機能などを有しデータ送信を行う送信部１８とが接続される。
【００２０】
さらに上記制御部４０には、このカメラ１の動作を開始させるためのパワースイッチ（以下ＰＷＳＷと記す）５０と、撮影を開始させるためのレリーズスイッチ（以下ＲＳＷと記す）５２と、プリント開始をプリント装置２へ送信するためのプリント指示スイッチ（以下ＰＳＷと記す）５４とが接続される。
【００２１】
なお、上記制御部４０は、ＲＩＳＣ型マイクロコンピュータからなっているが、これに限るわけではなく、スピードが早ければ他のＣＩＳＣ型マイクロコンピュータでも良い。上記不揮発性メモリ４８は、大容量の場合には上記画像データの圧縮データを記憶しても良く、この場合はカメラ１の電源を切ってもデータは保持される。
【００２２】
また、上記送信部１８は、モデム機能及び電話機能を有さず、これらをカメラ１と別体にして、カメラ１に接続するようにしてもよい。さらに、モデム機能及び電話機能を制御部４０に内蔵してもよい。
【００２３】
図４は、上記ＩＤ入力部１４へのユーザＩＤ情報入力をＩＤカードにより行う例を示した図である。
接点５６を有するＩＤカード５８をカメラ１のＩＤ入力部１４に挿入することにより、後述するようなＩＤカード５８に記憶されたユーザＩＤ情報をプリント装置２へ送信可能となる。
【００２４】
ＩＤカード５８は、プリント装置２を所有するＤＰＥ店などと契約した場合に撮影者に渡される。このＩＤカード５８は、フラッシュメモリ、ＥＥＰＲＯＭなどを内蔵する。ＩＤカード５８に記憶されるユーザＩＤ情報の内容は、例えば、後述する図１０に示すような、撮影者を識別するためのユーザＩＤコードや、データが送られて来たときに本人かどうかを確認するためのユーザパスコード、ＤＰＥ店がチェーン店であり全国にある場合等の契約店（通常は自分の家の近くの店）を示すＤＰＥ店ＩＤコード、さらにそれらのデータに誤りがないかどうかを調べるためＣＲＣ及びパリティコードなどのチェックコードなどからなる。
【００２５】
なお、上記ユーザＩＤコードとしては、絶対、二重に登録されることがないナンバー、例えば、電話番号などを用いるとよい。
次に、上記カメラ１の動作について説明する。
【００２６】
図５は、上記カメラ１の動作としての制御部４０の処理を示すフローチャートである。
パワースイッチ（ＰＷＳＷ）５０がオンされると、まず、制御部４０はユーザＩＤコードがセットされているか否かを判定する（ステップＳ１）。ユーザＩＤコードがセットされていないときは、データ送信ができないため表示部４６に「ＩＤコードなし」の表示を行い（ステップＳ２）、ＰＷＳＷ５０がオフになっているか否かを判定する（ステップＳ１１）。ここで、ＰＷＳＷ５０がオフになっているときは、本処理を終了する。一方、ＰＷＳＷ５０がオフでないときは、ステップＳ１へ戻りステップＳ１の判定を繰り返す。そして、この間にユーザＩＤコードがセットされたときは、ステップＳ３へ移行する。
【００２７】
上記ステップＳ３では、制御部４０はレリーズスイッチ（ＲＳＷ）５２がオンかオフかを判定する。ＲＳＷ５２がオンのときは、撮影を行い（ステップＳ４）、撮像部１０によりディジタル化された画像データを画像メモリ４４に転送する（ステップＳ５）。
【００２８】
次に、制御部４０は上記画像データをＪＰＥＧ、またはその他の方式により圧縮し（ステップＳ６）、画像メモリ４４または不揮発性メモリ４８に記憶する空領域があるか否か、すなわち、記憶するための余裕があるか否かを判定する（ステップＳ７）。余裕がないときは、ユーザＩＤ情報と圧縮した画像データとをプリント装置２へ送信して（ステップＳ８）、ステップＳ９へ移行する。一方、余裕があるときは、データの送信を行わず、ステップＳ９へ飛ぶ。
【００２９】
上記ステップＳ９では、不揮発性メモリ４８に記憶されている撮影駒数をインクリメントし（ステップＳ９）、このインクリメント後の撮影駒数を不揮発性メモリ４８に記憶しなおす（ステップＳ１０）。なお、この撮影駒数は、プリント依頼コードを送ったときにリセットされ、上記ステップＳ８にてデータが送信されるときに、一緒に送信される。
【００３０】
続いて、制御部４０はＰＷＳＷ５０がオフになっているか否かを判定する（ステップＳ１１）。ＰＷＳＷ５０がオフになっているときは、本処理を終了する。一方、オフでないときは、ステップＳ１へ戻りステップＳ１以降の処理を繰り返す。
【００３１】
また、上記ステップＳ３にてＲＳＷ５２がオフのときは、プリント指示スイッチ５４（ＰＳＷ）がオンかオフかを判定する（ステップＳ１２）。ＰＳＷ５４がオフのときは、ステップＳ１へ戻りステップＳ１以降の処理を繰り返す。一方、オンのときは、不揮発性メモリ４８に記憶されている撮影駒数が“０”であるか否かを判定する（ステップＳ１３）。撮影駒数が“０”であるときは、データ送信の必要がないので表示部４６に「撮影データなし」の表示を行い（ステップＳ１４）、ステップＳ１へ戻りステップＳ１以降の処理を繰り返す。
【００３２】
一方、上記ステップＳ１３にて撮影駒数が“０”でないときは、未転送の圧縮した画像データがあるか否かを判定する（ステップＳ１５）。未転送のデータがないときは、ユーザＩＤ情報とプリント依頼コードを送り（ステップＳ１６，Ｓ１７）、不揮発性メモリ４８に記憶された撮影駒数をリセットして（ステップＳ１８）、ステップＳ１０へ移行する。未転送のデータがあるときは、ユーザＩＤ情報と圧縮した画像データを送信した後（ステップＳ１９）、プリント依頼コードを送信し（ステップＳ１７）、不揮発性メモリ４８に記憶された撮影駒数をリセットして（ステップＳ１８）、ステップＳ１０へ移行する。
【００３３】
上記ステップＳ１０では、リセット後の撮影駒数を不揮発性メモリ４８に記憶しなおす（ステップＳ１０）。続いて、制御部４０はＰＷＳＷ５０がオフになっているか否かを判定する（ステップＳ１１）。ＰＷＳＷ５０がオフになっているときは、本処理を終了する。一方、オフでないときは、ステップＳ１へ戻りステップＳ１以降の処理を繰り返す。
【００３４】
なお、上記ＪＰＥＧとは、ＩＳＯによって標準化された静止画像のための圧縮画像フォーマットの一種である。
図６は、上記カメラ１の構成の別の例を示す図である。
【００３５】
このカメラ１の構成は、図３に示した構成に対してユーザＩＤ情報の入力モードにするためのモードスイッチ（ＭＳＷ）６０を追加したものであり、その他の構成については、図３に示したカメラ１と同一であるためここに編入するものとしその説明は省略する。
【００３６】
図７は、上記ＩＤ入力部１４へユーザＩＤ書込み用外部装置６２を接続して、ユーザＩＤ情報入力を行う例を示した図である。
カメラ１のＩＤ入力部１４にユーザＩＤ書込み用外部装置６２を接続することにより、このユーザＩＤ書込み用外部装置６２に入力または記憶された内容がプリント装置２へ送信可能となる。
【００３７】
このユーザＩＤ書込み用外部装置６２に入力または記憶された内容は、上述したＩＤカード５８に記憶されるデータの内容と同様であり、その説明は省略する。
【００３８】
図８は、上記ＩＤ入力部１４へのユーザＩＤ情報入力を電話器によって送信する例を示した図である。
カメラ１のＩＤ入力部１４へ電話器６４から送信することによって、ユーザＩＤ情報が設定され、プリント装置２へ送信可能となる。このユーザＩＤ情報は、上述したＩＤカード５８に記憶されるデータの内容と同様であり、その説明は省略する。
【００３９】
図９は、図６に示したカメラ１の構成の別の例において、ユーザＩＤ情報を設定するときの制御部４０の処理を示すフローチャートである。
モードスイッチ（ＭＳＷ）６０がオンされると、割込みによりこのフローチャートがスタートする。まず、制御部４０は表示部４６にＩＤ入力モードになったことを表示する（ステップＳ２１）。
【００４０】
次に、制御部４０はユーザＩＤ情報のデータ入力が開始されたか否かを判定する（ステップＳ２２）。データが入力されていないときは、ＰＷＳＷ５０がオフになっているか否かを判定する（ステップＳ２３）。ここで、ＰＷＳＷ５０がオフになっていないときは、ステップＳ２２へ戻り、データが入力されるまで待機する。一方、ＰＷＳＷ５０がオフになっているときは、本処理を終了する。
【００４１】
また、上記ステップＳ２２にてユーザＩＤ情報のデータ入力が開始されたときは、制御部４０はユーザＩＤ情報の取り込みを行い（ステップＳ２４）、図１０に示すチェックコードでデータチェックを行う（ステップＳ２５）。チェック結果が正常であるときは、「データ入力成功」を表示部４６に表示し（ステップＳ２６）、一方、チェック結果が正常でないときは、「データ入力失敗」を表示部４６に表示する（ステップＳ２７）。その後、本処理を終了する。
【００４２】
次に、実施の形態のカメラプリントシステムにおけるプリント装置２について説明する。
図１１は、上記プリント装置２の構成を示すブロック図である。
【００４３】
このプリント装置２の全体の動作を制御するプリント制御部７０には、通信回線７２から来たデータをディジタルデータに変換するモデム７４と、受信した画像データを記憶する画像記憶部７６と、後述する図１２に示すようなデータが記憶されているユーザＩＤ記憶部７８と、画像記憶部７６に記憶された画像データから画像をプリントする画像プリンタ８０と、メディアへの書き込みを行うメディア書き込み部８２とが接続される。
【００４４】
図１２は、上記ユーザＩＤ記憶部７８に記憶されるデータを示す図である。
記憶されるデータは、撮影者を識別するためのユーザＩＤコード、データが送られて来たときに本人かどうかを確認するためのユーザパスコード、その他撮影者の希望としてメディア出力を希望するか否か、同時プリント枚数、さらにプリント用紙種類、例えば用紙サイズや光沢／きぬ目など、さらに、プリントした結果の郵送を希望するか否かなどである。
【００４５】
上記ユーザＩＤコードはプリンタ装置２を所有するＤＰＥ店などと契約すると登録され、本発明のサービスが受けられるようにすばよい。メディア書込み部８２は、メディア書込みが希望されたとき、すなわち、メディア出力ありに設定されたとき、メディアに書込みを行う。このメディアとは、画像データを記憶するためのフロッピーディスク（ＦＤ）や、ミニディスク（ＭＤ）、光磁気ディスク（ＭＯ）、フォトＣＤなどを示す。
【００４６】
図１３は、上記プリント装置２の動作としてのプリント制御部７０の処理を示すフローチャートである。
まず、プリント制御部７０は通信開始時間が来たか否かを判定する（ステップＳ３１）。ここで、通信開始時間が来たときは、データベース３４と通信を行う。なお、上記通信開始時間は、通常、１日に何回か定期的におとずれ、そのときに通信が行われるものとする。通信を開始させる他の方法としては、データ量が一定量以上蓄積されたとき、またプリント依頼コードが送られたときに、データベース３４側からこの装置を起動してもよい。
【００４７】
次に、プリント制御部７０は通信によりデータベース３４に画像データとユーザＩＤ情報のデータがあるか否かを判定する（ステップＳ３２）。データがあるときは、プリント制御部７０はそのデータを読みとり（ステップＳ３３）、ユーザＩＤコードとユーザパスコードが一致しているか否かをチェックする（ステップＳ３４）。そして、ユーザＩＤコードとユーザパスコードが一致しているときは、ユーザＩＤコード別に圧縮した画像データを画像記憶部７６に記憶する（ステップＳ３５）。
【００４８】
続いて、プリント制御部７０はプリント依頼コードを読み取ったか否かを判定する（ステップＳ３６）。プリント依頼コードを読み取ったときは、画像記憶部７６中においてプリント依頼コードに対応する撮影者のユーザＩＤコードに記憶された画像データから、まだプリントされていないのデータを伸長し（ステップＳ３７）、プリントして（ステップＳ３８）、ステップＳ３９へ移行する。一方、プリント依頼コードを読み取らなかったときは、そのまま本処理を終了する。
【００４９】
上記ステップＳ３９では、メディア出力の希望があるか否かを判定する。メディア出力の希望があるときは、メディアに圧縮データの書込みを行う（ステップＳ４０）。そして、最後にユーザ依頼事項（契約時の内容）をラベルに出力し（ステップＳ４１）、本処理を終了する。
【００５０】
また、上記ステップＳ３１にて通信開始時間でないとき、また上記ステップＳ３２にてデータベース３４にデータがないとき、また上記ステップＳ３４にてユーザＩＤコードとユーザパスコードが一致していないとき、さらに上記ステップＳ３９にてメディア出力の希望がないときは、同様に本処理を終了する。
【００５１】
なお、このプリント装置２を所有するＤＰＥ店は、通常、自分のＤＰＥ店ＩＤコードのデータしか読むことはできない。また、上記ステップＳ３８でのプリントは、ユーザと契約時にとり決めた仕様に添って行うものとする。
【００５２】
また、ユーザＩＤ記憶部７８に記憶されたデータとは別に、自宅のパーソナルコンピュータなどから画像処理した絵を１枚だけ拡大プリントしたい場合は、上記絵の送信データに、出力希望という旨のコードを付加して送信すればよい。このとき、送信されたデータは、ユーザＩＤ記憶部７８に記憶されたデータに対して優先して処理されるようにしておけば問題はない。
【００５３】
図１４は、上記ステップＳ４１におけるラベルの出力例を示す図である。
このラベル９０は、顧客の氏名、電話番号、住所、出力したメディア、同時プリント枚数、サイズ、仕上げ、受けとり方法等を記録したものである。図中の丸印は、いくつかの選択肢のうちその項目が選択されていることを示している。
【００５４】
画像データ及びユーザＩＤコードが出力されたプリント、メディアなどを袋に入れ、上記ラベル９０を貼っておくことにより、出力したものを簡単に管理できる。
【００５５】
図１５は、上記プリント装置２の別例の動作としてのプリント制御部７０の処理を示すフローチャートである。
これは、カメラ１側にプリント依頼コードを送信する機能がない場合にプリントを開始させる手段を示すものである。
【００５６】
まず、プリント制御部７０は通信開始時間が来たか否かを判定する（ステップＳ５１）。ここで、通信開始時間が来たときは、データベース３４と通信を行う。なお、上記通信開始時間は、通常、１日に何回か定期的におとずれ、そのときに通信が行われるものとする。通信を開始させる他の方法としては、データ量が一定量以上蓄積されたとき、またプリント依頼コードが送られたときに、データベース３４側からこの装置を起動してもよい。
【００５７】
次に、プリント制御部７０は通信によりデータベース３４に画像データとユーザＩＤ情報のデータがあるか否かを判定する（ステップＳ５２）。データがあるときは、プリント制御部７０はそのデータを読みとり（ステップＳ５３）、ユーザＩＤコードとユーザパスコードが一致しているか否かをチェックする（ステップＳ５４）。そして、ユーザＩＤコードとユーザパスコードが一致しているときは、ユーザＩＤコード別に圧縮した画像データを画像記憶部７６に記憶する（ステップＳ５５）。この記憶を行ったとき、プリント装置２に内蔵された不図示の時計機能によって、このときの日時をユーザＩＤコードごとに画像記憶部７６に記憶する（ステップＳ５６）。その後、本処理を終了する。
【００５８】
また、上記ステップＳ５２にてデータベース３４に画像データとユーザＩＤ情報のデータがないときは、プリント制御部７０はユーザＩＤコードごとに記憶された最新の上記受信日時から、一定時間経過した画像データがあるか否かを判定する（ステップＳ５７）。一定時間経過した画像データがあるときは、この画像データを伸長し（ステップＳ５８）、プリントする（ステップＳ５９）。
【００５９】
次に、プリント制御部７０はメディア出力の希望があるか否かを判定する（ステップＳ６０）。メディア出力の希望があるときは、メディアに圧縮データの書込みを行う（ステップＳ６１）。そして、最後にユーザ依頼事項（契約時の内容）をラベルに出力し（ステップＳ６２）、本処理を終了する。
【００６０】
また、上記ステップＳ５１にて通信開始時間でないとき、また上記ステップＳ５４にてユーザＩＤコードとユーザパスコードが一致していないとき、また上記ステップＳ５７にて一定時間経過した画像データがないとき、さらに上記ステップＳ６０にてメディア出力の希望がないときは、同様に本処理を終了する。
【００６１】
以上説明したように本実施の形態によれば、撮影した画像データをラボラトリに持って行かなくてもプリント依頼することができる。
なお、本発明の上記実施態様によれば、以下のごとき構成が得られる。
（１）  ユーザＩＤ情報を入力するＩＤ入力手段と、
撮影した画像をディジタルデータに変換する撮像手段と、
上記ディジタルデータを圧縮するデータ圧縮手段と、
上記ユーザＩＤ情報及び上記圧縮された画像のディジタルデータを送信用信号に変換する送信信号形成手段と、
上記送信用信号を送信する送信手段と、
を有する送信機能付きカメラと、
上記送信された送信用信号を受信する受信手段と、
該受信手段の受信した信号からユーザＩＤ情報を判別しユーザＩＤ情報に対応して画像データを記憶する記憶手段と、
該記憶手段に記憶された上記画像データのプリントを開始するか否かを判定するプリント開始判定手段と、
上記プリント開始判定手段によりプリント開始と判定した場合、上記画像データをプリントするプリント手段と、
を有する受信機能付きプリント装置と、
からなることを特徴とするカメラ・プリントシステム。
（２）  上記ＩＤ入力手段により入力された上記ユーザＩＤ情報は、外部装置から入力されて不揮発性メモリに記憶されることを特徴とする上記（１）に記載のカメラ・プリントシステム。
（３）  上記ＩＤ入力手段により入力されたユーザＩＤ情報は、外部の電話回線から入力されて不揮発性メモリに記憶されることを特徴とする上記（１）に記載のカメラ・プリントシステム。
（４）  上記ＩＤ入力手段に入力されるユーザＩＤ情報にユーザ識別用のユーザＩＤコードがセットされていない場合、カメラ撮影を禁止にすることを特徴とする上記（１）に記載のカメラ・プリントシステム。
（５）  上記送信機能付きカメラは、プリント指示するプリント依頼コードを送信するプリント指示手段を有し、
上記プリント装置は上記プリント依頼コードを受信すると、上記プリント開始判定手段に基づき、上記プリント手段により上記記憶手段に記憶されている画像データをプリント出力することを特徴とする上記（１）に記載のカメラ・プリントシステム。
（６）  上記プリント開始手段は、最後に受信した画像データ信号から一定時間経過した場合、上記プリント手段によりプリントを開始することを特徴とする上記（１）に記載のカメラ・プリントシステム。
（７）  上記プリント装置は、ユーザのプリント出力希望項目を記憶するユーザＩＤ記憶手段を有し、その内容に基づきプリント可能としたことを特徴とする上記（１）に記載のカメラ・プリントシステム。
（８）  上記プリント出力希望項目は、プリントサイズ、同時プリント枚数、プリントの受取り方法、メディア出力の要否、出力メディア種類のうち少なくとも１つを含むことを特徴とする上記（７）に記載のカメラ・プリントシステム。
（９）  上記出力メディアの種類は、ＦＤ、ＭＤ、ＭＯ、フォトＣＤのうち少なくとも１つを含むことを特徴とする上記（８）に記載のカメラ・プリントシステム。
（１０）  上記プリント装置は、画像データを記憶メディアに書き込む書き込み手段を有することを特徴とする上記（１）に記載のカメラ・プリントシステム。
【００６２】
【発明の効果】
以上述べたように本発明によれば、送信機能付きカメラにて撮像された画像データ及び識別情報を遠隔地にあるプリント装置に送信することにより、撮影者が希望するプリントを適時に依頼できるカメラを提供することが可能である。
【図面の簡単な説明】
【図１】本発明に係るカメラ・プリントシステムの概念的な構成を示すブロック図である。
【図２】実施の形態のカメラ・プリントシステムの構成を示す具体的なイメージ図である。
【図３】実施の形態におけるカメラ１の構成を示す図である。
【図４】上記カメラ１のＩＤ入力部１４へのユーザＩＤ情報入力をＩＤカードにより行う例を示した図である。
【図５】上記カメラ１の動作としての制御部４０の処理を示すフローチャートである。
【図６】上記カメラ１の構成の別の例を示す図である。
【図７】上記カメラ１のＩＤ入力部１４へユーザＩＤ書込み用外部装置６２を接続して、ユーザＩＤ情報入力を行う例を示した図である。
【図８】上記カメラ１のＩＤ入力部１４へのユーザＩＤ情報入力を電話器によって送信する例を示した図である。
【図９】図６に示したカメラ１の構成の別の例において、ユーザＩＤ情報を設定するときの制御部４０の処理を示すフローチャートである。
【図１０】ユーザＩＤ情報の内容を示す図である。
【図１１】実施の形態におけるプリント装置２の構成を示すブロック図である。
【図１２】上記プリント装置２のユーザＩＤ記憶部７８に記憶されるデータを示す図である。
【図１３】上記プリント装置２の動作としてのプリント制御部７０の処理を示すフローチャートである。
【図１４】実施の形態におけるラベルの出力例を示す図である。
【図１５】上記プリント装置２の別例の動作としてのプリント制御部７０の処理を示すフローチャートである。
【符号の説明】
１…カメラ、２…プリント装置、１０…撮像部、１２…データ圧縮部、１４…ＩＤ入力部、１６…送信信号形成部、１８…送信部、２０…受信部、２２…ＩＤ判別部、２４…記憶部、２６…プリント開始判定部、２８…プリント部、３０…受信ポイント、３２…アクセスポイント、３４…データベース、３６…ＤＰＥ店、３８…プリント、４０…制御部（ＲＩＳＣ型マイクロコンピュータ）、４２…レンズ、４４…画像メモリ、４６…表示部、４８…不揮発性メモリ、５０…パワースイッチ（ＰＷＳＷ）、５２…レリーズスイッチ（ＲＳＷ）、５４…プリント指示スイッチ（ＰＳＷ）、５６…接点、５８…ＩＤカード、６０…モードスイッチ（ＭＳＷ）、６２…ユーザＩＤ書込み用外部装置、６４…電話器、７０…プリント制御部、７２…通信回線、７４…モデム、７６…画像記憶部、７８…ユーザＩＤ記憶部、８０…画像プリンタ、８２…メディア書き込み部、９０…ラベル。
【図１】
0003628773.tif 000002
【図２】
0003628773.tif 000003
【図３】
0003628773.tif 000004
【図４】
0003628773.tif 000005
【図５】
0003628773.tif 000006
【図６】
0003628773.tif 000007
【図７】
0003628773.tif 000008
【図８】
0003628773.tif 000009
【図９】
0003628773.tif 000010
【図１０】
0003628773.tif 000011
【図１１】
0003628773.tif 000012
【図１２】
0003628773.tif 000013
【図１３】
0003628773.tif 000014
【図１４】
0003628773.tif 000015
【図１５】
0003628773.tif 000016